【手続補正書】
【提出日】平成17年8月31日(2005.8.31)
【手続補正１】
【補正対象書類名】特許請求の範囲
【補正対象項目名】全文
【補正方法】変更
【補正の内容】
【特許請求の範囲】
【請求項１】
一般式：
【化１】
2005508903.tif 000001
のジケトピロロピロールの調製方法であって、式：
【化２】
2005508903.tif 000002
の化合物を、式Ａ4−ＮＨ2（III）の第一級アミン
（式中、Ａ1及びＡ2は、Ｃ1〜Ｃ18アルキル、Ｃ2〜Ｃ18アルケニル、Ｃ2〜Ｃ18アルキニル、Ｃ5〜Ｃ8シクロアルキル、Ｃ5〜Ｃ8シクロアルケニル、アリール又はヘテロアリールであり、
Ａ3は、水素、Ｃ1〜Ｃ18アルキル、シアノメチル、Ａｒ3、−ＣＲ30Ｒ31−（ＣＨ2）m−Ａｒ3又はＹ−Ｒ32であり、ここでＲ30及びＲ31は、互いに独立して、水素もしくはＣ1〜Ｃ4アルキルを表すか、又はＣ1〜Ｃ3アルキルによって３回まで置換されていることができるフェニルを表し、
Ａｒ3は、Ｃ1〜Ｃ8アルキル、Ｃ1〜Ｃ8アルコキシ、ハロゲン又はフェニル（Ｃ1〜Ｃ8アルキル又はＣ1〜Ｃ8アルコキシによって１〜３回置換されていることができる）によって１〜３回置換されていることができるアリール、Ｃ5〜Ｃ8シクロアルキル、Ｃ5〜Ｃ8シクロアルケニル又はヘテロアリールを表し、
ｍは、０、１、２、３又は４を表し、
Ｙは、−（ＣＯ）−、−Ｃ（Ｏ）Ｏ−、−Ｃ（Ｏ）ＮＨ−、−ＳＯ2ＨＮ−又は−ＳＯ2−であり、
Ｒ32は、Ｃ1〜Ｃ18アルキル、Ｃ1〜Ｃ18アルコキシ、−ＮＨ−Ｃ1〜Ｃ18アルキル、Ａｒ3又はアラルキルであり、
Ａ4は、Ｃ1〜Ｃ18アルキル又はＡｒ3である）
と反応させることを含む方法。
【請求項２】
式：
【化３】
2005508903.tif 000003
の化合物を、式Ａ3−Ｘ（Ｖ）
（式中、Ａ1、Ａ2及びＡ3は、請求項１に記した意味を有し、Ｘは、脱離基である）
の化合物と反応させることにより、Ａ3が水素原子とは異なる式IIの化合物を得る、請求項１記載の方法。
【請求項３】
式：
【化４】
2005508903.tif 000004
（式中、Ａ1及びＡ2は、請求項１に記した意味を有し、Ｒは、Ｃ1〜Ｃ18アルキル、特にＣ1〜Ｃ4アルキル、アリール、特にフェニル、又はアラルキル、特にベンジルであり、Ｃ1〜Ｃ8アルキル、Ｃ1〜Ｃ8アルコキシ又はハロゲンによって１〜３回置換されていることができるものである）
の化合物を、不活性溶媒中で加熱することにより、式IVの化合物を得る、請求項１又は２記載の方法。
【請求項４】
一般式：
【化５】
2005508903.tif 000005
（式中、Ａ1、Ａ2及びＡ3は、請求項１に記した意味を有し、Ａ4は、Ａｒ3である）
のジケトピロロピロール。
【請求項５】
Ａ1及びＡ2が、式：
【化６】
2005508903.tif 000006
（式中、Ｒ1及びＲ2は、互いに独立して、水素、ハロゲン、Ｃ1〜Ｃ18アルキル、Ｃ1〜Ｃ18アルコキシ、Ｃ1〜Ｃ18アルキルメルカプト、Ｃ1〜Ｃ18アルキルアミノ、Ｃ1〜Ｃ18アルコキシカルボニル、Ｃ1〜Ｃ18アルキルアミノカルボニル、−ＣＮ、−ＮＯ2、トリフルオロメチル、Ｃ5〜Ｃ8シクロアルキル、−Ｃ＝Ｎ−（Ｃ1〜Ｃ18アルキル）、フェニル、
【化７】
2005508903.tif 000007
イミダゾリル、ピラゾリル、トリアゾリル、ピペラジニル、ピロリル、オキサゾリル、ベンズオキサゾリル、ベンゾチアゾリル、ベンズイミダゾリル、モルホリニル、ピペリジニルもしくはピロリジニル、−ＣＯＮＸ5Ｘ6、−Ｃ（Ｏ）ＯＸ7又は−ＳＯ2Ｘ9であり；ここでＸ5及びＸ6は、水素、直鎖状もしくは分岐鎖状のＣ1-10アルキル、Ｃ5-10シクロアルキル又はＣ6-10アリールであり、Ｘ7は、水素、直鎖状もしくは分岐鎖状のＣ1-10アルキル、Ｃ5-10シクロアルキル又はＣ6-10アリールであり、Ｘ9は、水素、直鎖状もしくは分岐鎖状のＣ1-10アルキル、Ｃ5-10シクロアルキル、Ｃ7-10アラルキル、Ｃ6-10アリール又は−ＮＸ10Ｘ11であり、ここでＸ10及びＸ11は、水素、直鎖状もしくは分岐鎖状のＣ1-10アルキル、Ｃ7-10アラルキル又はＣ6-10アリールであり、
Ｇは、−ＣＨ2−、−ＣＨ（ＣＨ3）−、−Ｃ（ＣＨ3）2−、−ＣＨ＝Ｎ−、−Ｎ＝Ｎ−、−Ｏ−、−Ｓ−、−ＳＯ−、−ＳＯ2−、−ＳＯ2ＮＨ−、−ＣＯＮＨ−又は−ＮＲ7−であり、
Ｒ3及びＲ4は、互いに独立して、水素、ハロゲン、Ｃ1〜Ｃ6アルキル、Ｃ1〜Ｃ18アルコキシ又は−ＣＮであり、Ｒ5及びＲ6は、互いに独立して、水素、ハロゲン又はＣ1〜Ｃ6アルキルであり、Ｒ7は、水素又はＣ1〜Ｃ6アルキルである）
の基であるか、あるいは、式：
【化８】
2005508903.tif 000008
（式中、Ｒ21、Ｒ22、Ｒ23、Ｒ25及びＲ26は、互いに独立して、水素、Ｃ1〜Ｃ8アルキル、ヒドロキシル基、メルカプト基、Ｃ1〜Ｃ8アルコキシ、Ｃ1〜Ｃ8アルキルチオ、ハロゲン、ハロＣ1〜Ｃ8アルキル、シアノ基、アルデヒド基、ケトン基、カルボキシル基、エステル基、カルバモイル基、アミノ基、ニトロ基、シリル基又はシロキサニル基であり、
Ｒ24はＣ1〜Ｃ6アルキル基である）
の基である、請求項４記載のジケトピロロピロール。
【請求項６】
Ａ1及びＡ2が、式：
【化９】
2005508903.tif 000009
（式中、Ｒ1及びＲ2は、互いに独立して、水素、クロロ、ブロモ、Ｃ1〜Ｃ4アルキル、Ｃ1〜Ｃ6アルコキシ、Ｃ1〜Ｃ6アルキルアミノ、フェニル又はＣＮであり、
Ｇは、−Ｏ−、−ＮＲ7−、−Ｎ＝Ｎ−又は−ＳＯ2−であり、
Ｒ3及びＲ4は、水素であり、
Ｒ7は、水素、メチル又はエチルである）
の基である、請求項４又は５記載のジケトピロロピロール。
【請求項７】
Ａ3が、シアノメチル、Ｃ1〜Ｃ8アルキル、たとえばメチル、エチル、ｎ−プロピル、イソプロピル、ｎ−ブチル、sec−ブチル、イソブチル、tert−ブチル、ｎ−ペンチル、２−ペンチル、３−ペンチル、２，２−ジメチルプロピル、ｎ−ヘキシル、ｎ−ヘプチル、ｎ−オクチル、１，１，３，３−テトラメチルブチル及び２−エチルヘキシル、又はＹ−Ｒ32（式中、Ｙは−Ｃ（Ｏ）−であり、ここでＲ32は、
【化１０】
2005508903.tif 000010
（式中、Ｒ40は、Ｃ1〜Ｃ4アルキル、−Ｏ−Ｃ1〜Ｃ4アルキル又は−Ｓ−Ｃ1〜Ｃ4アルキルである）又は−（ＣＨ2）m−Ａｒ（式中、ｍは、１であり、Ａｒは、Ｃ1〜Ｃ8アルキル、Ｃ1〜Ｃ8アルコキシ、ハロゲン又はフェニルによって１〜３回置換されていることができる式
【化１１】
2005508903.tif 000011
の基である）
である、請求項４〜６のいずれか一項記載のジケトピロロピロール。
【請求項８】
Ａ4が、Ｃ1〜Ｃ8アルキル、Ｃ1〜Ｃ8アルコキシ、ハロゲン又はフェニルによって１〜３回置換されていることができる
【化１２】
2005508903.tif 000012
である、請求項４〜７のいずれか一項記載のジケトピロロピロール。
【請求項９】
請求項４〜８のいずれか一項記載の式Ｉのジケトピロロピロールをその中に配合することによって、高分子量有機物質を着色する方法。
【請求項１０】
（ａ）請求項４〜８のいずれか一項記載の式Ｉのジケトピロロピロール、着色される高分子量有機物質の全重量を基準にして０．０１〜５０重量％と、
（ｂ）高分子量有機物質、着色される高分子量有機物質の全重量を基準にして９９．９９〜５０重量％と、
（ｃ）場合により、有効量の通例の添加物と
を含む組成物。
【請求項１１】
一般式：
【化１３】
2005508903.tif 000013
（式中、Ａ1、Ａ2及びＲは、請求項３に記した意味を有する）
のピロリノン。
【請求項１２】
インク、着色剤、コーティング用の着色プラスチック、非衝撃印刷材料、カラーフィルター、化粧品、ポリマーインク粒子、トナー、色素レーザー及びエレクトロルミネセンス素子の調製のための、又はイムノアッセイのための蛍光マーカー及び流体の漏れ検出のための蛍光トレーサーとしての、請求項４〜８のいずれか一項記載の式Ｉのジケトピロロピロールの使用。
【請求項１３】
式II：
【化１４】
2005508903.tif 000014
（式中、Ａ1、Ａ2及びＡ3は、請求項１に記した意味を有する）
のジケトピロロピロール類似体（ただし、３，５，６−トリフェニル−１Ｈ−フルオロ［３，４−ｃ］ピロール−１，４−（５Ｈ）−ジオンを除く）。
【請求項１４】
結晶成長調節剤としての、請求項１３記載の式IIのジケトピロロピロール類似体の使用。